(57)【要約】  化粧積層体を対象表面に貼り付ける用具を提供するキット。このキットは、ロール状表面被覆材を保持するようにおよび表面被覆材を対象表面に貼り付けるように適合されるアプリケータを具えている。このキットはまた、表面被覆材を対象表面に貼り付けるための手引きを具えている。
2009528189.tif 000002
【特許請求の範囲】
【請求項１】
表面被覆材を貼り付けるためのキットであって、
ａ）ロール状表面被覆材を保持すると共に前記表面被覆材を対象表面に貼り付けるように適合したアプリケータと、
ｂ）表面被覆材を前記対象表面に貼り付けるための手引きと
を具えたキット。
【請求項２】
前記アプリケータは第１の幅を有するロール状表面被覆材を保持するように適合し、当該キットが第２のロール状表面被覆材を保持すると共に前記対象表面への貼り付けを促進するように適合した第２のアプリケータをさらに具え、前記第２のロール状表面被覆材が前記第１の幅と実質的に異なる第２の幅を有する請求項１に記載のキット。
【請求項３】
前記表面被覆材の前記対象表面への貼り付けの改善を促進するように適合した貼り付け改善用具をさらに具えた請求項１に記載のキット。
【請求項４】
前記手引きが印刷物を具えている請求項１に記載のキット。
【請求項５】
前記手引きがネットワークアドレスへの参照を具えている請求項１に記載のキット。
【請求項６】
前記手引きが第１の表面と第２の表面との境目部分に形成された入隅に前記表面被覆材を貼り付ける方法を具え、この方法は、
ａ）前記第１および第２の表面の前記境目部分の一部と平行な線を前記ロール状表面被覆材の幅未満の量だけ前記境目部分から離して罫書く工程と、
ｂ）前記表面被覆材の一部を前記線と前記境目部分との間の前記第１の表面に貼り付ける工程であって、前記表面被覆材の一辺を前記線に合わせて前記表面被覆材の一部が前記境目部分を越えて前記第２の表面の一部を被覆する工程と、
ｃ）前記第１および第２の表面上の前記表面被覆材を平滑にする工程と
を具えている請求項１に記載のキット。
【請求項７】
前記手引きは、前記表面被覆材の第１の部分の縁部が前記表面被覆材の第２の部分の縁部に当接するように前記表面被覆材を貼り付けるための継ぎ合わせ方法を具えている請求項１に記載のキット。
【請求項８】
前記継ぎ合わせ方法は、
ａ）接着剤を具えた第１の表面と剥離ライナー材料に対して剥離可能に接合される第２の表面とを有するウエブ材料を少なくとも一部に具えた多量の表面被覆積層体を準備する工程と、
ｂ）前記表面被覆積層体の第１の部分の前記第１の表面を被覆すべき表面に接触状態で配設する工程と、
ｃ）前記第２の部分の少なくとも一部が前記第１の部分の前記剥離ライナー材料の一部と重なり合うように、前記表面被覆積層体の第２の部分の前記第１の表面を被覆すべき前記表面に接触状態で配設する工程と、
ｄ）前記剥離ライナーを前記表面被覆積層体の前記第２の部分から取り除く工程と、
ｅ）前記表面被覆積層体の前記第１の部分から前記剥離ライナーを前記第１の部分と重なり合う前記第２の部分の該当部分と共に取り除く工程と
を具えている請求項７に記載のキット。
【請求項９】
前記継ぎ合わせ方法は、
ａ）接着剤を具えた第１の表面と剥離ライナー材料に対して剥離可能に接合される第２の表面とを有するウエブ材料を少なくとも一部に具えた多量の表面被覆積層体を準備する工程と、
ｂ）前記表面被覆積層体の第１の部分の前記第１の表面を被覆すべき表面に接触状態で配設する工程と、
ｃ）前記第２の部分の少なくとも一部が前記第１の部分の一部と重なり合うように、前記表面被覆積層体の第２の部分の前記第１の表面を被覆すべき前記表面に接触状態で配置する工程と、
ｄ）前記剥離ライナーを前記表面被覆積層体の前記第１の部分から取り除く工程と
を具え、前記第１の部分と重なり合った前記第２の部分の剥離ライナーを含む前記表面被覆積層体の前記第２の部分の該当箇所が前記第１の部分の前記剥離ライナーと同時に取り除かれる請求項７に記載のキット。
【請求項１０】
前記手引きが前記表面被覆材の貼り付け方法を具え、この方法は、
ａ）障害物および隅角領域が存在しない前記対象表面の部分を選定する工程と、
ｂ）前記表面被覆材の第１の部分を前記対象表面と第２の表面との前記境目部分に貼り付ける工程と、
ｃ）前記表面被覆材の第２の部分を前記第１の部分から前記対象表面を覆って所望の表面被覆終端まで貼り付ける工程と
を具えている請求項１に記載のキット。
【発明の詳細な説明】
【技術分野】
【０００１】
本発明は、化粧積層体を対象表面に貼り付けるためのキットに関する。本発明は、特に化粧積層体を対象表面に貼り付けるための用具および手引きを提供するためのキットに関する。このキットは、特に積層体を対象建築表面に貼り付けることに関する。
【背景技術】
【０００２】
化粧表面被覆材は当該技術分野において周知である。壁紙、およびドライカラー積層体は、ロールに巻かれたウエブの形態で入手可能であり、ロールから繰り出し、壁、天井、床、又は他の表面であれ、対象表面に貼り付けることができると一般に知られている。接着剤層および場合によっては剥離ライナーを含むドライカラー積層材料は、知られているが、広くは使われていない。このような材料の効率的で審美的な貼り付けのための工具および手法はまた、広くは入手可能でない。
【発明の開示】
【発明が解決しようとする課題】
【０００３】
ドライカラー積層体が、広く入手可能になるにつれて、表面被覆材の貼り付けの成功のための用具および手引きを準備してこのタイプの表面被覆材の使用および受入を促進する必要がある。
【課題を解決するための手段】
【０００４】
一つの態様では、キットはロール状表面被覆材を対象表面に貼り付けるための工具および手引きを提供する。このキットは、ロール状の表面被覆材を保持し、この表面被覆材を対象表面に貼り付けるのに適合されたアプリケータを具える。このキットはまた、表面被覆材をその対象表面に貼り付けるための手引きを具える。
【０００５】
別の態様では、このキットは第１の幅を有するロール状表面被覆材を保持し、表面被覆材を対象表面に貼り付けるように適合したアプリケータを具える。このキットはまた、第２のロール状表面被覆材を保持し、対象表面への貼り付けを促進するように適合した第２のアプリケータをさらに具え、この第２のロール状表面被覆材は第２の幅を有し、第２の幅は第１の幅とは実質的に異なる。このキットはまた、表面被覆材の対象表面への貼り付けのための手引きを具える。この手引きは、入隅などの、特定の表面箇所を被覆するための方法、および表面被覆材の近接した部分の間に継ぎ目を作り出すための方法を具える。
【発明を実施するための最良の形態】
【０００６】
図に示すように、一つの実施形態では、表面被覆材を貼り付けるためのキット１００は、ロール状表面被覆材を保持し、表面被覆材を対象表面に貼り付けるように適合した第１のアプリケータ１０を具える。このキット１００はまた、表面被覆材の貼り付けのためおよび第１のアプリケータ１０の使用のための手引き２０を具えている。
【０００７】
この第１のアプリケータ１０は、表面被覆材のロールを保持し、材料の対象表面への貼り付けを可能にする。この第１のアプリケータ１０は、その部分が対象表面に貼り付けられるときに表面被覆材部分の位置合わせ、重ね合わせ、および分離を促進するための機構を具えてもよいが、これらに限定されない。この第１のアプリケータ１０は、特定の幅又は特定の範囲内の幅を有するロールに使用されるのに適合される。この第１のアプリケータ１０は第１のアプリケータの使用において行われるべき操作の順序についてガイダンスをユーザーに提供する表示を具えてもよい。このような表示は、ユーザーがその表示を視認する角度に応じて使用の特定の工程に関するさまざまな表示を見るように視角に依存するグラフィックの形態であってよい。このような視角依存型グラフィックは、第１のアプリケータ１０の正しい設置および使用に関してユーザーに追加情報の連絡を可能にしてもよい。
【０００８】
一つの実施形態では、この第１のアプリケータは、第１のアプリケータ１０の使用において受容された入力に従ってそれぞれのドットの順次の照明によって第１のアプリケータ１０の正しい使用に沿ってユーザーを順次に案内する一連のスマートドット（smart dots）を具える。代表的な第１のアプリケータ１０は、２００４年１０月２６日にスタインハート（Steinhardt）に対して発行された米国特許第６，８０８，５８６号および２００５年５月５日に公開された係属中の米国特許公開第２００５／００９２４２０号に記載されている。
【０００９】
本発明の表面被覆材は、ロール形態で入手できる表面被覆材で、第１のアプリケータ１０からの貼り付けに適合される任意の表面被覆材を含んでもよい。代表的な表面被覆材としては、２００３年７月１７日に公開された同時係属中の米国出願第２００３／０１３４１１Ａ１号；２００４年４月２２日に公開された同第２００４／００７６７８８号；２００４年１０月１４日に公開された同第２００４／０２００５６４号；２００４年１２月１６日に公開された同第２００４／０２５３４２１Ａ１号；および２００５年１月６日に公開された同第２００５／０００３１２９号；２００５年９月８日に公開された同第２００５／０１９６６０７号；および２００５年９月２２日に公開されたＷＩＰＯ公開第２００５／０８７４９２号；２００５年９月２２日公開された同第２００５／０８７４９０号；２００４年９月２日に公開された同第２００４／０７４００３号；および２００４年９月２日に公開された同第２００４／０７４００９号に開示されているドライペイントが挙げられる。
【００１０】
代表的な手引き２０には、対象表面の調製方法、表面被覆材の対象表面への貼り付け方法、材料の入隅、出隅、および湾曲表面などの対象表面の厄介な領域への貼り付け方法、および電気コンセント、サーモスタット、およびスイッチなどの物品の対処方法が挙げられるが、これらに限定されない。この手引き２０はまた、表面被覆材の対象表面への貼り付けのためのキット１００に提供されるいずれかおよびすべての用具の説明および使用に関する手引きを提供してもよい。
【００１１】
一つの実施形態では、手引きの扱っている領域はユーザーがより詳細な手引きに目を通さずに製品の実際の貼り付けを迅速に進めることを可能にする仕方で提示された手引きの基本セットに限定された「クイックスタート」手引きセットを具えている。
【００１２】
一つの実施形態では、手引き２０は、消費者がより高いレベルの貼り付け技術を必要とする手引きに従うことによって表面被覆材でより洗練された外観を達成できるように高度に詳細で、より複雑な「専門レベル」手引きを具えている。
【００１３】
一つの実施形態では、手引き２０は、表面被覆材を使用して独特な外観を達成するための方法およびヒントを具えている。代表的なヒントには、表面上のアクセントとして材料を使用すること、材料の異なる色彩および模様を組み合わせること、より個性化された外観を達成するためにステンシル又はデカルコマニアと組み合わせて材料を使用すること、およびこれらの方法の組み合わせが挙げられる。
【００１４】
この手引き２０は、連絡すべき内容の性質に適した任意の形態でよい。代表的な手引き形態には、キット１００の包装の表面上の印刷テキストおよび／又は画像、キット内容物の使用および表面被覆材の貼り付けにおいて文字および／又はグラフィックによる手引きを提供する印刷冊子、デジタル・バーサタイル・ディスク（Digital Versatile Disks）、コンパクトディスク（Compact Disks）、コンパクトフラッシュメモリ（Compact Flash memory）、又は当該技術分野において既知であるような他のデジタル記憶媒体手段などのデジタル記憶媒体が挙げられるが、これらに限定されない。この手引きはまた、ビデオテープなどのアナログ形態で提供されてもよい。
【００１５】
この手引き２０は、表面被覆材の貼り付けに付随した工程のオーディオおよび／又はビデオプレゼンテーションを具えてもよい。このプレゼンテーションは、パーソナルオーディオ装置により再生するのに適したオーディオフォーマットで提供される段階的な貼り付け手引きを具えてもよい。このプレゼンテーションは、聴取者が工程を聞き、プレゼンテーションを一時停止し、工程を行い、そして次いでプレゼンテーションを再開することができるように構成されてもよい。一つの実施形態では、このプレゼンテーションは、パーソナルＭＰ３プレイヤーによる再生に適したＭＰ３ファイルとして提供されてもよい。他の実施形態では、このプレゼンテーションは、当該技術分野において既知であるようなオーディオおよびビデオ再生装置を用いてレビュー可能にしてよい。
【００１６】
一つの実施形態では、手引き２０は、方法の工程が記載され、聴取者がプロセスに沿って話を聞くメディアプレゼンテーションを具えている。この実施形態では、プレゼンテーションはプロセスの一部である聴覚合図を具え、特定の工程に付随する合図がどのようなものであるかに関して聴取者によりよく知らせるように実際の聴覚合図の再現を提供する。このプレゼンテーションはまた、プロセスの中の任意の特定の箇所までこの方法の工程に続いて視覚的な展望から何が生じたのかについての視覚表現を具えている。
【００１７】
代表的な手引き２０には、聴覚、ビデオ又は音声およびビデオコンテントのいずれかを具えるデータファイルが挙げられる。このファイルは、このような媒体が当該技術分野において既知であるので記憶媒体に提供されもよいし、若しくはユーザーによるアクセスおよび／又はダウンロードのためのネットワークを介して入手可能にされてもよい。このファイルは、コンピュータに記憶されても、他の媒体へ転送されても、あるいはＭＰ３プレイヤーなどのメディアプレイヤーに記憶されてもよい。ユーザーは、次いでファイルのレビューに入ってもよく、レビュー中に手引きに従ってもよい。このファイルは、手引きのある工程を提供してもよく、次いでユーザーにその工程を実行するように促してもよい。このファイルは、ユーザーを工程の正しい実行へ案内するための視覚又は音声合図を提供してもよい。このファイルは、特定のステップ中に何が起こっているかを記載し又は示してもよい。ユーザーは、いくつもの方法でファイルにアクセスしてもよい。このファイルは、順番におよび停止せずにレビューされてもよい。このファイルは、材料の設置を始めるのに好都合なときに停止しながら断片的に見てもよい。このファイルは、特定のステップをレビューのために再生し、そして他のステップを飛ばして順番に従わずにレビューされてもよい。この手引きは、各章が手引き２０の特定の工程又は態様に関連した固有の章に分離されてもよい。
【００１８】
一つの実施形態では、手引き２０は、第１の表面と第２との表面の境目部分境目部分において形成された内角へ表面被覆材を貼り付ける方法を具えている。この実施形態では、この方法は第１および第２の表面の境目部分の一部に平行な線を第１の表面上に罫書く工程を具えている。この線は、境目部分からロール状表面被覆材の幅未満の量間隔をあけられる。一例として、壁と第２の壁との境目部分に平行に、境目部分から約３．５ｃｍの間隔をあけて壁の上に線が罫書れてもよい。約５ｃｍの幅を有するロール状表面被覆材から表面被覆材を用いて、表面被覆材の一部分が線と境目部分との間の第１の表面に貼り付けられ、表面被覆材はこの線に合わせられる。表面被覆材の一部分は、境目部分を越えて第２の表面の一部分を被覆し、約１．５ｃｍの材料が境目部分を越えて第２の壁まで貼り付けられる。第１又は第２の壁のいずれかに貼り付けられた部分におけるすべての皺又は捕捉された空気を除去するために、材料の貼り付けられた部分は平滑にされる。壁境目部分全体が被覆されるまでこの工程が繰り返されうる。表面被覆材のこの部分は、約０．１ｃｍ〜約２．５ｃｍの範囲の量で第２の壁に貼り付けられてもよい。表面被覆材の一部分を第１の表面に貼り付け、第２の表面に重ね合わせた後で、表面被覆材の第２の部分が第２の表面に貼り付けられてもよい。この第２の部分は、先に貼り付けられた部分と重なり合うように貼り付けられてもよい。この第２の部分は、第２の表面に全面的に貼り付けられてもよく、又は第１の表面に部分的に重なり合うように貼り付けられてもよい。
【００１９】
一つの実施形態では、手引き２０は表面被覆材の貼り付け方法を具えている。この実施形態では、この方法は障害物および隅角領域が実質的に存在しない対象表面の部分を選定する工程を具えている。表面被覆材の第１の部分が、対象表面と第２の表面との境目部分において貼り付けられる。一例として、トリム幅ロール状表面被覆材の１つのセグメント又は複数のセグメントが、壁が天井、又は天井トリム木造部分と交わる点において、部屋の壁の中心の一部分を被覆するために使用されてもよいが、これはおよび本発明を限定するものではない。このトリムを貼り付けた後、表面被覆材の第２の部分が、第１の部分から、対象表面を覆って、所望の表面被覆終端まで貼り付けされる。この実施例では、幅広のロールから材料が、トリム部分と床、床境目部分木工部分、椅子手摺又は表面被覆のための他の下方終端との間のトリム部分の若干の重なり合いと共に貼り付けられる。
【００２０】
表面の被覆は、設置者の都合のよい間隔で進めてよい。壁紙を設置するときの状況に応じて、ウエットエッジはないか又はウエットエッジを維持するいかなる必要性もないか又はウエブ材料が乾燥する前に取り掛かるいかなる必要性もない。材料の貼り付けを部屋の目立たない部分から開始する必要はない。その代わりに貼り付けは、被覆すべき領域の最も開放的で目に見える部分において着手されてよい。
【００２１】
一つの実施形態では、手引きは表面被覆材の近接した部分が重なり合った継ぎ目無しで互いに当接するように表面被覆材を貼り付ける一つの方法又は複数の方法を具えている。
【００２２】
一つの実施形態では、この方法は多量の表面被覆積層材料を準備する工程を具えている。この量は、手操作によって又は積層体アプリケータを用いてのいずれかで別個の部分に分離されてもよい。表面被覆積層体の少なくとも一部分は、第１の表面および第２の表面を有するウエブ材料を具え、この第１の表面は接着剤を具え、この第２の表面は剥離ライナー材料又は裏張りシート材料へ剥離可能に接合される。表面被覆積層体の第１の部分の第１の表面が、被覆すべき表面と接触して配設される。表面被覆積層体の第２の部分の第１の表面は、被覆すべき表面と接触して配設され、第２の部分の少なくとも一部は第１の部分の剥離ライナーの一部と重なり合う。この剥離ライナーは、表面被覆積層材料の第２の部分から取り除かれる。この剥離ライナーは、第１の部分と重なり合う第２の部分の該当箇所と共に表面被覆積層材料の第１の部分から取り除かれる。これは、第１の部分に近接し、当接される第２の部分を残す。
【００２３】
裏張りシート材料又は剥離ライナーの除去は、接着剤で裏打ちされた裏張りシート除去用具の一部分を剥離ライナーの上隅角に貼り付け、表面被覆積層体の長縁部から約１５度〜約７５度傾斜した向きに下向きに引っ張ることによって助長されることがある。別の実施形態では裏張りシートが、長縁部から約３０度〜約６０度傾斜した向きに引っ張ることによって取り除かれてもよい。この裏張りシート除去用具は、表面被覆積層体の各連続部分に貼り付けられてもよいが、それはこの部分が対象表面に貼り付けられているからである。一つの実施形態では手引き２０は、接着剤が裏打ちされた裏張りシート除去用具の使用について例示するカードを具える。
【００２４】
この除去工程に関係した剥離角は、開始点から離れて対象表面に沿って移動する運動によって材料が剥がされるので約１８０度であると考えられる。同時にこの材料は、表面被覆材の長縁部から約１５度〜約７５度傾斜した向きに剥がされる。
【００２５】
一つの実施形態では、継ぎ合わせ方法は、材料の第１の部分と重なり合う点において材料の第２の部分をバニシ加工する工程を具えている。重なり合う点に沿ってローラバニシングツールを通過させることにより材料をバニシ加工する工程は、第１の部分の裏張りシートと共に重なり合った部分の除去を改善する場合がある。代表的なバニシングツールは、スピードボール・アート・プロダクツ社（Speedball Art Products）（ノースカロライナ州、ステイツビル（Statesville））から入手可能なスピードボールブレイヤー（Speedball Brayer）である。
【００２６】
一つの実施形態ではこの方法は、第１の部分の剥離ライナーの除去前に第１の部分の重ね合わせられた辺に沿って用具の辺を合わせて材料の除去を向上させる工程を具えている。
【００２７】
一つの実施形態ではこの方法は、剥離ライナーに固定的に取り付けられたプルタブであって、積層体シートのウエブ材料を越えて延在するように配設されたプルタブを具えている表面被覆積層体の少なくとも第１の部分を準備する工程を具えている。この実施形態では少なくとも１つの部分に対して裏張りシート除去用具を貼り付ける必要性はない。
【００２８】
一つの実施形態ではこの方法は、表面被覆積層体部分を準備する工程を備え、剥離ライナーはウエブ材料と同一以上の広がりを持つ。この実施形態では、剥離ライナーを全体として除去することを開始するために余分の剥離ライナーが使用されてもよく、追加の裏張りシート除去用具は必要とされない。
【００２９】
一つの実施形態ではこの方法は、実質的に円筒型の形態でそれ自身の周りに巻かれ、被覆されるべき表面の寸法に従って決定される長さを有する表面被覆積層材料の少なくとも多少の数量を準備する工程を具えている。この実施形態では、この表面被覆積層体は対象表面の寸法に従って調製され、辺から辺までの領域の単一な幅を覆うために材料の各ロールのサイズが決められるようになっている。
【００３０】
一つの実施形態ではこの方法は、表面被覆積層体を準備する工程を具え、剥離ライナーが材料の少なくとも１つの辺に平行に配設される表示を具える。この実施形態では、最適な重ね合わせ部分を達成するためにそれに続く部分がどこに配置されるべきかについて設置者を案内するために剥離ライナーが、印刷されるか、エンボス加工されるか又は別の方法で表示を用いてマーキングされてもよい。この表示は、連続線又は分割線としてよい。この表示は、続く部分の位置合わせにおいて、被覆アプリケータを用いても用いなくても役に立ちうる。この材料は、続く部分がいずれかの辺に沿って貼り付けられるための重なり合う点を示すように、単一の辺又は各辺に沿って表示を具えていてもよい。
【００３１】
一つの実施形態では、この方法は多量の表面被覆積層材料を準備する工程を具えている。この量は手操作によって又は積層体アプリケータを用いてのいずれかで別個の部分に分離されてもよい。表面被覆積層体の少なくとも１つの部分は、第１の表面および第２の表面を有するウエブ材料を具え、第１の表面は接着剤を具え、第２の表面は剥離ライナー材料又は裏張りシート材料に剥離可能に接合される。表面被覆積層体の第１の部分のこの第１の側面は、被覆されるべき表面と接触して配設される。表面被覆積層体の第２の部分のこの第１の側面は、被覆されるべき表面と接触して配設され、第２の部分の少なくとも１箇所が第１の部分の剥離ライナーの１箇所に重なり合う。この剥離ライナーは、表面被覆積層材料の第１の部分から、第１の部分に重なり合う第２の部分剥離ライナーを具え、第２の部分の該当箇所と共に取り除かれる。これは第１の部分に近接し当接した第２のシートを残す。所望により、第２の部分のこの剥離ライナーに、除去プロセス中にその点においてライナーの剪断を容易にするため、重なり合う線に沿って印を入れてもよい。
【００３２】
裏張りシート材料又は剥離ライナーの除去は、接着剤を裏付けした裏張りシート除去用具の一部分を剥離ライナーの上隅角に貼り付け、表面被覆積層体の長縁部から約１５度〜約７５度傾斜した向きで下向きに引っ張ることにより促進してもよい。別の実施形態では、この裏張りシートは、長縁部から約３０度〜約６０度傾斜した向きで引っ張ることにより取り除かれてもよい。この裏張りシート除去用具は、表面被覆積層体の各連続部分に貼り付けられてもよいが、それはこの部分が対象表面に貼り付けられるからである。一つの実施形態では手引き２０は、接着剤を裏付けした裏張りシート除去用具の使用について説明するカードを具えている。
【００３３】
除去工程に関係した剥離角は、約１８０度であると考えられるが、それは材料が開始点から離れて対象表面に沿って移動する運動によって引っ張られるからである。同時にこの材料は、表面被覆材の長縁部から約１５度〜約７５度に傾斜した向きで引っ張られる。
【００３４】
一つの実施形態ではこの継ぎ合わせ方法は、材料の第１の部分の重なり合う点において材料の第２の部分をバニシ加工する工程を具えている。重なり合う点に沿ってローラバニシングツールを通過させることにより材料のバニシ加工を行うことは、第１の部分の裏張りシートと共に重なり合った部分の除去を改善する場合がある。代表的なバニシングツールは、スピードボール・アート・プロダクツ社（Speedball Art Products）（ノースカロライナ州、ステイツビル（Statesville））から入手可能なスピードボールブレイヤー（Speedball Brayer）である。
【００３５】
一つの実施形態ではこの方法は、重なり合う点に沿って材料の除去を向上させるために、第１の部分の剥離ライナーの除去前に、第１の部分の重なり合った辺に沿って用具の辺を合わせる工程を具えている。
【００３６】
一つの実施形態ではこの方法は、剥離ライナーに固定的に取り付けられたプルタブで、積層体部分のウエブ材料を越えて延在するように配設されるプルタブを具えている表面被覆積層体の少なくとも第１の部分を準備する工程を具えている。この実施形態では裏張りシート除去用具を少なくとも１つの部分に貼り付ける必要はない。
【００３７】
一つの実施形態ではこの方法は、表面被覆積層材料を準備する工程を具え、ここでは剥離ライナーがウエブ材料との同一以上の広がりを持つ。この実施形態では、剥離ライナー全体としての除去を開始するために余分の剥離ライナーが使用されてもよく、追加の裏張りシート除去用具は必要とされない。
【００３８】
一つの実施形態では手引きは、裏張りシートを組み込まない表面被覆材であって、材料の近接した部分の間の突合せ継ぎ目を達成するための表面被覆材を貼り付ける方法を具えている。この実施形態は、折り畳みボードを組み込んでいるアプリケータを用いて材料の第１の部分を貼り付ける工程を具えている。この折り畳みボードアプリケータは、所定の量の材料が対象表面に接着されないでその代わりにその表面から離れて折り畳まれるように貼り付け工程中に材料背面の１つの縁部を折り畳む。この材料の第２の部分が、次いで第１の材料部分の折り畳まれた部分に重なり合って貼り付けられる。この重なり合った部分は、次いで対象表面との境目部分においてバニシ加工され、縁取りされた用具を用いて又は用いずに取り除かれる。
【００３９】
折り畳みボードアプリケータを利用する表面被覆材の貼り付け方法はまた、剥離ライナーを具える表面被覆材で実践されてもよい。表面被覆材の第２の部分の剥離ライナーに、材料の第１の部分からの剥離ライナーの除去前に、重なり合った折り畳み線に沿って印を入れてもよい。
【００４０】
一つの実施形態ではこの方法は、ライナーのない表面被覆材を準備する工程および材料の第１の部分を対象表面に貼り付ける工程を具えている。貼り付けられた部分の１つの辺に実質的に平行な第１の材料部分の一部分が、次いでエッジツールを用いて又は接着剤エッジ（adhesive edge）被覆用具で被覆される。第２の材料部分は、次いでエッジツール又は接着剤エッジ（adhesive edge）被覆用具に重なり合う対象表面に貼り付けられる。
【００４１】
このツール、又は接着剤用具は次いで第２の材料部分の重なり合った部分と共に取り除かれる。
【００４２】
一つの実施形態ではこの方法は、実質的に円筒型の形態でそれ自身の周りに巻かれ、被覆されるべき表面の寸法に従って決定される長さを有する表面被覆積層材料の少なくとも多少の数量を準備する工程を具えている。この実施形態では、この表面被覆積層体は対象表面の寸法に従って調製され、縁部から縁部までの領域の単一な幅を覆うために各ロール状表面被覆材のサイズが決められるようになっている。
【００４３】
一つの実施形態ではこの方法は、表面被覆積層体を準備する工程を具え、剥離ライナーが材料の少なくとも１つの辺に平行に配設される表示を具えている。この実施形態では、最適な重ね合わせ部分を達成するためにそれに続く部分がどこに配置されるべきかについて設置者を案内するために剥離ライナーが、印刷されるか、エンボス加工されるか又は別の方法で表示を用いてマーキングされてもよい。この表示は、連続線又は分割線であってもよい。この表示は、続く部分の位置合わせにおいて、被覆アプリケータを用いても用いなくても役に立ちうる。この材料は、続く部分がいずれかの辺に沿って貼り付けられるための重なり合う点を示すように、単一の縁部又は各縁部に沿って表示を具えてもよい。
【００４４】
追加の手引きソースに関連した情報もまた、キット１００の一部として提供されてもよい。代表的な追加のソースには、電話連絡番号、インターネット・ウェブサイト、電子メールアドレス、および追加の手引き媒体用の注文フォームが挙げられるが、これらに限定されない。提供されるインターネットソースは、後の時点で記憶および再生のために又は貼り付け工程中の使用に向けて印刷するためにユーザーにより順にダウンロードされてもよいコンテントへのアクセスを具えてもよい。
【００４５】
一つの実施形態ではこのキットは、実際の設置の一部又は全てにおいて役に立つように、専門の設置者のサービスへのアクセスに関するガイダンスを提供する。この実施形態では、表面被覆材を自力で設置するのを差し控えることを選択する消費者は専門の設置者により実施される設置を有する可能性を容易に探求することができる。
【００４６】
一つの実施形態ではこのキット１００はまた、参照カード２５を具えている。この参照カード２５は、貼り付け手引きの縮小版を具え、表面被覆貼り付けを進めつつ設置者が参照カード２５を身近なところに常に置いておくことができるように、つりひも、クリップ、又は取り付けの他の手段を具えてもよい。この参照カード２５は、設置方法の工程に関連した１組のキーワード、又は貼り付け工程に付随した１組のグラフィック画像を具えてもよい。この参照カード２５は、あらゆる特定の用具の使用について正しい順序で、ユーザーにガイダンスを提供するためにキットに準備された貼り付け用具に組み込まれた表示に言及してもよい。この参照カード２５は、貼り付け方法の工程においてユーザーを促すためにテキストおよびグラフィックの組み合わせを具えてもよい。
【００４７】
一つの実施形態ではこのキット１００は、表面被覆材の第２のロールを保持する第２のアプリケータであって、対象表面への貼り付けを容易にするように適合される第２のアプリケータ３０をさらに具えている。この第２のアプリケータ３０は、第１のアプリケータ１０に付随したロールの幅又は幅の範囲とは実質的に異なる幅のロール状表面被覆材の貼り付けに使用されるように適合される。１つの代表的な第２のアプリケータは、トリムロール状表面被覆材の貼り付けに適合される。トリムロールは、第１のアプリケータ１０に付随するロールと対比して相対的に狭い。一例として、第１のアプリケータに使用するために構成されるロールは、約２５〜約３５ｃｍの範囲にある幅を具えてもよい。対照的に第２のアプリケータに使用するために構成されるロールは、約４〜約８ｃｍの幅を具えてもよい。
【００４８】
別の実施形態では、この第２のアプリケータはディスペンサーとしての役目を果たし、対象表面に手操作で貼り付けるには相対的に狭いロールの部分の分与を促進する。
【００４９】
一つの実施形態ではこの表面被覆材は、剥離ライナーを具えてもよく、第２のアプリケータ３０、すなわちディスペンサー３０は、表面被覆材の剥離ライナーを材料の残りの部分から分離する手段を具えてもよい。この手段は、タブの一方の側に配置された剥離ライナーおよびタブの他方の側に配置された材料の残りの部分により、表面被覆材がルートづけされることを可能にするように構成されるタブ又は一連のタブを具えてもよい。この構成は、表面被覆材が第２のアプリケータ３０から分与されるにつれて剥離ライナーの分離を促進することができる。
【００５０】
一つの実施形態では手引き２０は、表面被覆材のトリムロールの接着剤部分をロールの剥離ライナーから分離することを促進する工程を具えてもよい。この工程は、ディスペンサー３０からロールの一部分をルートづける工程およびその部分をセパレータタブの下に通す工程を具えてもよい。裏張りシート除去用具の一部分が、タブ縁部およびタブの上流に沿って材料に取り付けられることを具え、材料の接着材部分に接着可能に取り付けられてもよい。ディスペンサーからの追加材料をその後に続いて除去することで、結果的にタブ縁部に沿った裏張りシート材料からの接着剤部分の分離がもたらされる場合もある。
【００５１】
この第２のアプリケータ３０は、分与中に剥離ライナーを正しく分離するようにユーザーがロール状表面被覆材９０を第２のアプリケータ内に搭載できるようにする視覚的な合図を具えてもよい。手引き２０は、第２のアプリケータ３０の正しい搭載方法および表面被覆材の全体貼り付けにおける第２のアプリケータ３０の使用方法を具えてもよい。
【００５２】
一つの実施形態ではこのキット１００は、剥離ライナー材料をトリムロールの積層材料の接着剤部分から分離することに関した手引きを提供する手引きカード２７を具えてもよい。このキット１００は、トリムロール状積層材料の残りの部分からの剥離ライナーの分離を回復することを促進することに適合された１つ以上の縁部回復カード２９を具えてもよい。
【００５３】
このキット１００は、表面被覆材の対象表面への貼り付けを改善促進することに適合された貼り付け改良用具４０をさらに具えてもよい。この貼り付け改善用具は、対象表面に先に貼り付けされた表面被覆材の部分から皺および／又は空泡の除去を促進するように適合した把持表面および１つ以上の平滑化縁部を有する平滑化ツールを具えてもよい。
【００５４】
一つの実施形態ではこの貼り付け改善用具４０は、隅角のような厄介な領域において表面被覆材の貼り付けを促進するために罫書き用具５０と共に使用されてもよい１つ以上の位置合わせ孔を具えている。この実施形態、手引き２０は厄介な領域に表面被覆材を貼り付けるのに際して罫書き用具５０と共に貼り付け改善用具４０を使用する方法を提供してもよい。
【００５５】
このキット１００は、罫書き用具５０をさらに具えてもよい。代表的な罫書き用具には、突き錐、ペン、および鉛筆が挙げられるが、これらに限定されない。この罫書き用具５０は、表面被覆材の貼り付けを促進するために対象表面上の線を罫書く際に貼り付け改善用具４０と協働して機能するように構成されてもよい。
【００５６】
一つの実施形態ではこの表面被覆材は、剥離ライナー又は裏張りシート材料を具えている。この実施形態ではキット１００は、多量の裏張りシート除去用具６０を具えてもよいこの裏張りシート除去用具６０は、裏張りシート材料に接着可能に取り付くように適合されるこのような取り付けは、表面被覆材および裏張りシートが対象表面に貼り付けられた後に、表面被覆材の残りの部分から裏張りシート材料の分離を可能にする。この裏張りシート除去用具６０は、別個の部分の形態で、又は裏張りシート除去材料のロールの形態で準備されてもよい。ディスペンサー６５は、裏張りシート除去用具６０のロールを別個の部分へ分離するのを容易にするために準備されてもよい。この手引き２０は、表面被覆材の貼り付け中に裏張りシート除去用具６０の効率的な使用のための工程を具えてもよい。
【００５７】
このキット１００は、第１のアプリケータ１０の少なくとも一部分を清浄にして最適なアプリケータ性能を維持又は回復するように適合された少なくとも１つの洗浄用具７０をさらに具えてもよい。第１のアプリケータ１０を用いた表面被覆材の貼り付けは、埃、残渣又は他の物質が第１のアプリケータ１０の一部分、又は複数部分の上に集積するにつれ、時間の経過と共に劣化しうる。第１のアプリケータ１０の性能の劣化は、表面被覆材の品質のせいにすることができ、そして表面被覆材に付随した総合的な消費者の経験に悪影響を及ぼす場合もある。最適なアプリケータ機能の維持又は回復には、第１のアプリケータ１０の影響を受けた一部分、又は複数部分を洗浄していかなる蓄積された物質を除去することが要求される。適切な洗浄用具を準備することはアプリケータ洗浄を促し、最適なレベルにより近い性能のレベルに第１のアプリケータを維持するのを促進し、これによって表面被覆材の貼り付けに付随した消費者の経験を充実させる。代表的な洗浄用具７０には、当該技術分野において既知であるような、別個のパッケージ化されたアルコール拭き取り用品、および多孔質先端を有するアルコールペンが挙げられるが、これらに限定されない。このアルコール拭き取り用品又はペンは、アプリケータ１０の性能を最適に又は最適近くに回復するために使用されてもよい。一つの実施形態では手引き２０は、表面被覆材の新しいロールがアプリケータ内に挿入されるときアプリケータを清浄にするために洗浄用具７０を使用する工程を具えてもよい。
【００５８】
このキット１００は、キット１００の構成要素用具のすべてを保持するように適合されたカートン８０をさらに具えてもよい。このカートン８０は、簡単な容器であってもよく、キット１００の他の用具をばらで保持してもよい。一つの実施形態ではカートン８０は分割され、仕立てられた区画を具え、それぞれの区画は特定のキット用具を保持するよう構成される。一例として、カートン８０は、第１のアプリケータ２０、教育用デジタル・バーサタイル・ディスク（Digital Versatile Disk）２０、手引き用冊子２０、第２のアプリケータ３０、貼り付け改良用具４０、罫書き用具５０、多量の裏張りシート除去材料６０、および裏張りシート除去材料６５用のディスペンサー、参照カード２５および特別貼り付け技術を記載するアイデアブックス（Idea Books）の各々について仕立てられた区画を有してよい。カートン８０は、第１のアプリケータ１０又は第２のアプリケータ３０のいずれかに使用するように構成された表面被覆材の１つ以上のロール９０を保管するように構成された追加のスペースを具えてもよい。このカートン８０は、追加の手引き用資料のための保管スペースを具えてもよい。一つの実施形態ではこのキット１００は、表面被覆材の少なくとも１つのロール９０を具えている。一つの実施形態ではこのカートン８０は、すべてのキット１００の構成要素を表示してそれらにアクセスするために広げられてもよく、引き続いてすべての構成要素を保管するために折り畳まれてもよい。
【００５９】
本明細書に開示されている寸法および値は、列挙した正確な数値に厳しく制限されるものとして理解されるべきではない。それよりむしろ、特に指定されない限り、こうした寸法はそれぞれ、列挙された値とその値周辺の機能的に同等の範囲との両方を意味するものとする。例えば、「４０ｍｍ」として開示される寸法は、「約４０ｍｍ」を意味するものとする。
【００６０】
「発明を実施するための最良の形態」で引用したすべての文献は、関連部分において本明細書に参考として組み込まれるが、いずれの文献の引用も、それが本発明に対する先行技術であることを容認するものと解釈されるべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【００６１】
本発明の特定の実施形態を説明し、記載したが、本発明の精神および範囲から逸脱することなく、他の様々な変更および修正が可能であることが、当業者には自明であろう。従って、本発明の範囲内にあるそのようなすべての変更および修正を冒頭の特許請求の範囲で扱うものとする。
【００６２】
本明細書の特許請求の範囲は、本発明の主題を具体的に指摘し、明確に請求する一方で、添付図面と関連づけて行う、発明を実施するための最良の形態によって、本発明がよりよく理解されると考えられ、図面中において、いくつかの表示で対応する特徴は同一に表される。
【図面の簡単な説明】
【００６３】
【図１】本発明の一つの実施形態によるキットの斜視図を模式的に示している。
【図１】
2009528189.tif 000003
【国際調査報告】
2009528189.tif 000004
2009528189.tif 000005